(57)【要約】【課題】再利用が可能で、また要冷蔵・冷凍の梱包物にあってはその中心まで温度が伝わり、梱包物に収納されている冷凍・冷蔵品の品質に悪影響を与えず、梱包作業を簡略化して、しかも荷崩れを起しにくい梱包装置を提供すること。【解決手段】パレット２０上に複数個のダンボール箱などの梱包物２を積載した状態で梱包する梱包装置において、直角を成す２つの側面を備え前記梱包物２の四隅に配設され前記各側面に少なくとも夫々２個以上の掛止部を有する支柱３と、この支柱３同士を締結すべく両端部に備えたフック１１が前記掛止部にたすき掛けされる伸縮性を有する掛けバンド４とを設ける。【選択図】  図１
2004359317.tif 000002
【特許請求の範囲】
【請求項１】
パレット上に複数個のダンボール箱などの梱包物を積載した状態で梱包する梱包装置において、前記梱包物の四隅に配設される支柱と、この支柱同士を締結するための伸縮性を有する掛けバンドとを設けたことを特徴とする梱包装置。
【請求項２】
パレット上に複数個のダンボール箱などの梱包物を積載した状態で梱包する梱包装置において、直角を成す２つの側面を備え前記梱包物の四隅に配設され前記各側面に少なくとも夫々２個以上の掛止部を有する支柱と、両端部に前記掛止部に係止するフックを備え前記支柱同士を締結するための伸縮性を有する掛けバンドとを設けたことを特徴とする梱包装置。
【請求項３】
パレット上に複数個のダンボール箱などの梱包物を積載した状態で梱包する梱包装置において、直角を成す２つの側面を備え前記梱包物の四隅に配設され前記各側面に少なくとも夫々２個以上の掛止部を有する支柱と、この支柱同士を締結すべく両端部に備えたフックが前記掛止部にたすき掛けされる伸縮性を有する掛けバンドとを設けたことを特徴とする梱包装置。
【請求項４】
前記支柱の一方の側面に設けられる掛止部と他の側面に設けられる掛止部とを上下方向にずらして配設したことを特徴とする請求項１乃至３のいずれかに記載の梱包装置。
【請求項５】
前記掛けバンドをたすき掛けする際に、上のたすき掛けの一方の掛けバンドのフック及び下のたすき掛けの一方の掛けバンドのフックが夫々係止する係止部を前記掛止部に形成したことを特徴とする請求項３に記載の梱包装置。
【発明の詳細な説明】
【０００１】
【発明の属する技術分野】
本発明は、複数のダンボール箱などの梱包物を運搬するときパレット上で荷崩れを防止するために、梱包に使用する梱包装置に関するものである。
【０００２】
【従来の技術】
一般に梱包現場では荷物を運搬する際、パレット上に載せたダンボール箱などの梱包物をストレッチフィルム（特許文献参照）や布等で巻き締めたり、あるいは荷締め紐等でパレットに括り付けて荷箱の荷崩れを防止している。
【０００３】
【特許文献】
特開平７−２５７５１３号公報
【０００４】
【発明が解決しようとする課題】
しかしながら、前述の従来方法は梱包作業に手間がかかること、巻き取ったラップや荷締め紐は使用後廃棄物とされていたこと、要冷凍の梱包物はストレッチフィルムにより覆われることで、冷凍室内雰囲気の対流が妨げられて冷気が遮断され、梱包物の中心まで温度が伝わりにくくなり、梱包物に収納されている冷蔵品の品質に悪影響を与える可能性があり問題が多い。そしてまた、パレットの大きさにもバラツキがあるので、ストレッチフィルムを巻かない場合、安定性が悪く、荷崩れを起こす可能性があった。
【０００５】
そこで本発明は、上記の点に鑑みて為されたものであり、再利用が可能で、また要冷蔵・冷凍の梱包物にあってはその中心まで温度が伝わり、梱包物に収納されている冷凍・冷蔵品の品質に悪影響を与えず、梱包作業を簡略化して、しかも荷崩れを起しにくい梱包装置を提供することを目的とする。
【０００６】
【課題を解決するための手段】
このため第１の発明は、パレット上に複数個のダンボール箱などの梱包物を積載した状態で梱包する梱包装置において、前記梱包物の四隅に配設される支柱と、この支柱同士を締結するための伸縮性を有する掛けバンドとを設けたことを特徴とする。
【０００７】
第２の発明は、パレット上に複数個のダンボール箱などの梱包物を積載した状態で梱包する梱包装置において、直角を成す２つの側面を備え前記梱包物の四隅に配設され前記各側面に少なくとも夫々２個以上の掛止部を有する支柱と、両端部に前記掛止部に係止するフックを備え前記支柱同士を締結するための伸縮性を有する掛けバンドとを設けたことを特徴とする。
【０００８】
第３の発明は、パレット上に複数個のダンボール箱などの梱包物を積載した状態で梱包する梱包装置において、直角を成す２つの側面を備え前記梱包物の四隅に配設され前記各側面に少なくとも夫々２個以上の掛止部を有する支柱と、この支柱同士を締結すべく両端部に備えたフックを前記掛止部にたすき掛けされる伸縮性を有する掛けバンドとを設けたことを特徴とする。
【０００９】
第４の発明は、第１乃至第３の発明において、前記支柱の一方の側面に設けられる掛止部と他の側面に設けられる掛止部とを上下方向にずらして配設したことを特徴とする。
【００１０】
第５の発明は、第３の発明において、前記掛けバンドをたすき掛けする際に、上のたすき掛けの一方の掛けバンドのフック及び下のたすき掛けの一方の掛けバンドのフックが夫々係止する係止部を前記掛止部に形成したことを特徴とする。
【００１１】
【発明の実施の形態】
以下、本発明の第１の実施の形態を図に基づき説明する。図１は梱包装置を使用した状態の全体正面図、図２は梱包装置を使用した状態の全体斜視図、図３は梱包装置を使用した状態の局部斜視図、図４は同じく梱包装置を使用した状態の局部斜視図、図５は掛けバンド４の側面図を示す。
【００１２】
図１及び図２において、２は種々の内容物を内部に詰めたダンボール箱などの梱包物であり、縦桟や横桟を組み合わせて作製したパレット２０上に直方体形状に複数個積み上げ梱包装置１で固定した状態を示している。
【００１３】
即ち、直方体形状の各コーナー４箇所（四隅）に梱包装置１を構成する支柱３が配置され、４個の支柱３同士はそれぞれ、掛けバンド４によりたすき掛けにより締結されている。その結果、積み上げたダンボール箱などの梱包物２は直方体の状態で締結されて、荷崩れが防止されている。掛けバンド４のたすき掛けは直方体の一側面に対し上下２つ構成され、より荷崩れしにくい強度を維持している。なお、、パレット２０の底面積が梱包物２の底面積と同程度か、いずれかが大きくともよい。
【００１４】
次に、梱包装置１の支柱３について詳述する。この支柱３は、材質は曲げ強度を充分備えた金属製材料、例えば鋼鉄で作製され、断面が直角を成す２つの側面を有するＬ字形状のアングルで、全長は前記直方体の梱包物２の高さより若干短めに加工してある。この支柱３の右側面には前記掛けバンド４が係止する掛止部が外方に突出した右上部吊金具５、右下部吊金具６、ほぼ中央に右中央部吊金具７が取り付けられており、さらに左側面には同じくそれぞれ左上部吊金具８、左下部吊金具９、左中央部吊金具１０が取り付けられている。
【００１５】
そして、各吊金具５乃至１０も金属製材料、例えば鋼鉄で作製されて、その形状は、図３及び図４で示すように変形した輪形状をしており、即ち概ねコ字状を呈しているがその水平辺Ｘの一部が支柱３にそれぞれ溶接されて固定されている。更に、この各吊金具５乃至１０の中間辺は垂直辺Ｙと係止部となる２つの斜辺Ｎとから構成されている。
【００１６】
なお、この支柱３及び各吊金具５乃至１０は前述した金属製材料に表面処理として、樹脂コーティングを施すか、軽量化を目的として炭素繊維入りの合成樹脂材料で作製してもよい。
【００１７】
一方、前記掛けバンド４は、前述のとおり、支柱３同士をたすき掛けで締結する結束用具である。この前記掛けバンド４は、両端の金属製材料で構成されたフック１１と、このフックどうしを連結する伸縮バンド部１２とで構成される。この伸縮バンド部１２は、伸縮性を有する材料で構成され、一般的にはゴムが適当であるが、伸縮性を有する金属製のスプリングなど弾性体材料でも可能であり、特に冷凍倉庫内や冷凍庫を備えた保冷車等のように低温下で使用する場合は耐低温強度特性の安定した素材を選定する必要がある。
【００１８】
また、この掛けバンド４の全長は各支柱３の締結間距離より短く設定している。ただし、その長さは伸縮バンド部１２の選定素材により異なり、画一的でなく適宜選定する。なお、図５に示すように、伸縮バンド部１２と各フック１１とは、伸縮バンド部１２端部をフック１１に形成された挟持部１１Ａが挟持するようにして結合されている。
【００１９】
以上のような構成により、以下パレット２０上に積載した複数個のダンボール箱などの梱包物２の梱包順序を説明する。先ず、積み上げた梱包物２の４隅において、下端を接地した各支柱３の上端を梱包物２の上部に立てかける。次に、例えば、図１の正面において、一つの掛けバンド４の各フック１１を左の支柱３の右上部吊金具５及び右の支柱３の左上部吊金具８に掛け止め、次いで他の３側面においても同様に、他の掛けバンド４の各フック１１を左の支柱３の右上部吊金具５及び右の支柱３の左上部吊金具８に掛け止める。
【００２０】
このように、各面において左の支柱３の右上部吊金具５及び右の支柱の左上部吊金具８どうしを連結した状態した上で、図１の正面において、他の掛けバンド４の各フック１１を左の支柱３の右中央部吊金具７及び右の支柱３の左下部吊金具９に掛け止めると共に別の掛けバンド４の各フック１１を左の支柱３の右下部吊金具６及び右の支柱３の左中央部吊金具１０に掛け止める。次いで、例えば右側面を初めてとして各面において、同様に掛けバンド４の各フック１１を左の支柱３の右中央部吊金具７及び右の支柱３の左下部吊金具９に掛け止めると共に別の掛けバンド４の各フック１１を左の支柱３の右下部吊金具６及び右の支柱３の左中央部吊金具１０に掛け止める。即ち、各面において、下部における一つのたすき掛けが作成される。
【００２１】
次いで、前述したように各面において、各フック１１を左の支柱３の右上部吊金具５及び右の支柱３の左上部吊金具８に掛け止めた掛けバンド４の一方のフック１１を外して、例えば右の支柱３の左上部吊金具８に掛け止めたフック１１を外して、右の支柱３の左中央部吊金具１０に掛け止めると共に、他の掛けバンド４の各フック１１を左の支柱３の右中央部吊金具７及び右の支柱３の左上部吊金具８に掛け止める。
【００２２】
従って、図３に示すように、たすき掛けした１つの掛けバンド４が各吊金具５、６、８、９に係止した場合には、右肩下がりの斜辺Ｎか右肩上がりの斜辺Ｎに各フック１１が係止する。そして、図４に示すように、たすき掛けした２つの掛けバンド４が各吊金具７、１０に係止した場合には、一方の掛けバンド４のフックが右肩下がりの斜辺Ｎに、また一方の掛けバンド４のフックが右肩上がりの斜辺Ｎに係止することとなる。
【００２３】
このため、各吊金具５、６、８、９にフック１１を掛けた状態では、各吊金具の斜辺Ｎにフック１１がしっかり掛かるため、掛けバンド４の横ずれが発生しにくく、そのため梱包の緩みが発生しにくいから荷崩れを起しにくい。また、各吊金具に２つのフック１１を掛けた状態では、吊金具の他の傾辺Ｎにフック１１がしっかり掛かり、直方体形状の梱包物２の上部と下部の掛けバンド４は互いに重ならないので、干渉が防止されている。
【００２４】
なお、支柱３の上下方向は上下対称であり、使用時、上下どちらの方向で使用しても勝手方向はない。
【００２５】
次に、図６に基づき、第２の実施形態を説明する。各支柱３の右側面に設けられる右上部吊金具５、右下部吊金具６、右中央部吊金具７と、左側面に設けられる左上部吊金具８、左下部吊金具９、左中央部吊金具１０とは高さ方向に重合しない位置にずらして設けられている。即ち、右上部吊金具５の下の水平辺Ｘの高さ位置より左上部吊金具８の上の水平辺Ｘの高さ位置を低くし、右中央部吊金具７の下の水平辺Ｘの高さ位置より左中央部吊金具１０の上の水平辺Ｘの高さ位置を低くし、右下部吊金具６の上の水平辺Ｘの高さ位置より左下部吊金具９の下の水平辺Ｘの高さ位置を高くすることにより、互いに重合しない位置にずらして設ける。
【００２６】
これにより、梱包物２を積載したパレット２０を複数台並設した場合に、隣り合う支柱３の各吊金具が重なることが防止され、限りなく隙間が無い状態で複数台のパレット２０を並設することができる。従って、保冷車などの狭い空間内でも場所をとらず、パレット２０を並設することができる。特に、パレット２０の底面積が梱包物２の底面積と同程度か、小さい場合に顕著である。
【００２７】
なお、支柱３の長さは梱包する製品にあわせて長さ方向の長短選択を行う必要がある。先に説明した支柱３は断面形状がＬ字形状であったが、円柱の円周の９０度分を切除した支柱を使用しても、その切除した各面が梱包物２に接することができるため、同一効果が期待できる。また、支柱３をパレット１０上にセットした梱包物２の直方体の四隅に設置したが、対称位置の二隅での使用も可能である。この場合は掛けバンド４の全長を考慮する必要がある。
【００２８】
また、ダンボール箱などの梱包物２を載せるパレット１０の大きさは、積載面積の有効活用を鑑み、通常は寸法統一されているが、本締結式梱包装置によればいかなる大きさのパレットでも対応可能である。
【００２９】
以上のように、梱包物２は４個の支柱３と複数の掛けバンド４とが覆うだけであり、要冷蔵・冷凍の梱包物２にあってはその中心まで温度が伝わり、梱包物２に収納されている冷凍・冷蔵品の品質に悪影響を与えることが少ない。しかも、ストレッチフィルムなどを梱包する設備・装置なども必要ではない。
【００３０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００３１】
【発明の効果】
以上のように本発明によれば、支柱及び掛けバンドとは繰り返し再利用が可能となり、従来のようなストレッチフィルムや荷締め紐等の廃棄物を発生させることなく、また要冷蔵・冷凍の梱包物にあってはその中心まで温度が伝わり、梱包物に収納されている冷凍・冷蔵品の品質に悪影響を与えず、梱包作業を簡略化して、しかも荷崩れを起しにくい梱包装置を提供することができる。
【図面の簡単な説明】
図１は、図２は、図３は、図４は同じく梱包装置を使用した状態の局部斜視図、図５は掛けバンド４の側面図
【図１】梱包装置を使用した状態の全体正面図を示す。
【図２】梱包装置を使用した状態の全体斜視図を示す。
【図３】梱包装置を使用した状態の局部斜視図を示す。
【図４】同じく梱包装置を使用した状態の局部斜視図を示す。
【図５】掛けバンドの側面図を示す。
【図６】第２の実施形態の梱包装置を使用した状態の全体斜視図を示す。
【符号の説明】
１              梱包装置
２              梱包物
３              支柱
４              掛けバンド
１１            フック
２０            パレット
Ｎ              斜辺（係止部）
【図１】
2004359317.tif 000003
【図２】
2004359317.tif 000004
【図３】
2004359317.tif 000005
【図４】
2004359317.tif 000006
【図５】
2004359317.tif 000007
【図６】
2004359317.tif 000008